(57)【要約】【課題】  裸眼時において検査視標における視標の視認をしづらくする。【解決手段】  画面上に形成された背景画像と、背景画像上に配置された左眼用視標及び右眼用視標であって、被検者が両眼視したときに画面に対して浮き上がり又は沈み込みを有する融像視標として被検者に見えるように左右方向の間隔が設定された左眼用視標及び右眼用視標と、を含む立体視機能検査用の検査視標を呈示する視標呈示装置において、背景画像は左眼用背景画像と右眼用背景画像で構成され、左眼用背景画像及び右眼用背景画像は、被検者が両眼視したときに画面に対して所期する浮き上がり又は沈み込みを有する融像背景画像として被検者に見えるように左右方向の間隔が設定されている。【選択図】      図１
2014064850.tif 000002
【特許請求の範囲】
【請求項１】
画面上に形成された背景画像と、
前記背景画像上に配置された左眼用視標及び右眼用視標であって、被検者が両眼視したときに前記画面に対して浮き上がり又は沈み込みを有する融像視標として被検者に見えるように左右方向の間隔が設定された左眼用視標及び右眼用視標と、
を含む立体視機能検査用の検査視標を呈示する視標呈示装置において、
前記背景画像は左眼用背景画像と右眼用背景画像で構成され、
前記左眼用背景画像及び右眼用背景画像は、被検者が両眼視したときに前記画面に対して所期する浮き上がり又は沈み込みを有する融像背景画像として被検者に見えるように左右方向の間隔が設定されていることを特徴とする視標呈示装置。
【請求項２】
請求項１の視標呈示装置において、
前記検査視標を表示するディスプレイと、
前記ディスプレイの前面に配置される偏光光学部材であって、該ディスプレイが持つ画素に対応してライン状又は格子状に交互に配置された左眼用光学領域と及び右眼用光学領域を持ち、該左眼用光学領域及び該右眼用光学領域が前記ディスプレイからの光を透過させるときに、互いに直交する偏光軸の光に変換する偏光光学部材と、
前記左眼用光学領域に対応する画素領域に前記左眼用背景画像及び前記左眼用視標を表示し、前記右眼用光学領域に対応する画素領域に前記右眼用背景画像及び前記右眼用視標を表示する制御手段と、
を備えることを特徴とする視標呈示装置。
【請求項３】
請求項２の視標呈示装置において、
検査時に被検者の左右の眼前にそれぞれ配置され、前記偏光光学部材からの互いに直交する偏光軸にそれぞれ一致した偏光軸を持つ偏光フィルタを備えることを特徴とする視標呈示装置。
【請求項４】
請求項１〜３のいずれかの視標呈示装置において、
前記背景画像、左眼用視標及び右眼用視標は、ステレオグラム画像で構成されていることを特徴とする視標呈示装置。
【発明の詳細な説明】
【技術分野】
【０００１】
本発明は、被検眼の視機能を検査するための検査視標を呈示する視標呈示装置に関する。
【背景技術】
【０００２】
視標呈示装置においては、ディスプレイの画面に視力検査視標等の種々の検査視標が表示されるディスプレイタイプの装置が実用化されている（例えば、特許文献１参照）。
【０００３】
このディスプレイを使用した視標呈示装置においては、両眼視機能検査視標を呈示する際に、左眼と右眼で異なる視標が呈示されるようにするために、３次元映像表示の技術を利用することができる（例えば、特許文献２、３参照）。すなわち、ディスプレイが有する画素に対応してライン状に配置された２種類の光学領域を持ち、ディスプレイからの光を通過させるときに互いに直交する偏光軸に変換するシート状の偏光光学部材をディスプレイの前面に配置すると共に、偏光光学部材を通過した光の偏光軸に一致した偏光軸を持つ偏光フィルタを被検者の左右の眼前にそれぞれ配置することにより、左眼と右眼で異なる視標が呈示される。これによって、被検者は左右の眼の視差によって、立体視検査が可能となる。
【０００４】
また、上記のような立体視検査に用いる検査視標において、所定の画像から成る背景画像上に、背景画像と略同一画像で構成され、左眼と右眼で異なる視標（左右眼で視差を設定した視標）が配置されるものがある（図５（ａ）参照）。そして、偏光眼鏡を通して、この検査視標を観察すると左右の眼の視差によって、背景画像上に、視標が浮かびあがる又は沈み込むように視認される。例えば、背景画像や視標を構成する画像としては、ランダムに配置された多数のドットで構成されたランダムドットパターンが挙げられる（特許文献４参照）。このような検査視標を用いた立体視検査では、被検者が背景画像上において視標の向き（特定の方向）や形状が明確に視認できるか否か、又、２つ以上の視標の浮上量や沈入量を区別できるか否かによって検査が行われる。
【先行技術文献】
【特許文献】
【０００５】
【特許文献１】特開２００６−４２９７８号公報
【特許文献２】特開２００２−３１１３８５号公報
【特許文献３】特開平７−３２２３０４号公報
【特許文献４】特開平９−９８９４９号公報
【発明の概要】
【発明が解決しようとする課題】
【０００６】
しかしながら、上記のような立体視検査用の検査視標を用いる場合には、背景画像に対して、視標がずれて配置（視差を設定して配置）される。このため、偏光眼鏡等を用いない裸眼の状態であっても、視標の形状や方向が視認できることがある。これによって、立体視検査が正確に行えないことがある。
【０００７】
本発明は、上記従来技術の問題点に鑑み、裸眼時において検査視標における視標の視認がしづらい視標呈示装置を提供することを技術課題とする。
【課題を解決するための手段】
【０００８】
上記課題を解決するために、本発明は以下のような構成を備えることを特徴とする。
【０００９】
（１）  画面上に形成された背景画像と、前記背景画像上に配置された左眼用視標及び右眼用視標であって、被検者が両眼視したときに前記画面に対して浮き上がり又は沈み込みを有する融像視標として被検者に見えるように左右方向の間隔が設定された左眼用視標及び右眼用視標と、を含む立体視機能検査用の検査視標を呈示する視標呈示装置において、前記背景画像は左眼用背景画像と右眼用背景画像で構成され、前記左眼用背景画像及び右眼用背景画像は、被検者が両眼視したときに前記画面に対して所期する浮き上がり又は沈み込みを有する融像背景画像として被検者に見えるように左右方向の間隔が設定されていることを特徴とする。
（２）  （１）の視標呈示装置において、前記検査視標を表示するディスプレイと、前記ディスプレイの前面に配置される偏光光学部材であって、該ディスプレイが持つ画素に対応してライン状又は格子状に交互に配置された左眼用光学領域と及び右眼用光学領域を持ち、該左眼用光学領域及び該右眼用光学領域が前記ディスプレイからの光を透過させるときに、互いに直交する偏光軸の光に変換する偏光光学部材と、前記左眼用光学領域に対応する画素領域に前記左眼用背景画像及び前記左眼用視標を表示し、前記右眼用光学領域に対応する画素領域に前記右眼用背景画像及び前記右眼用視標を表示する制御手段と、
を備えることを特徴とする。
（３）  （２）の視標呈示装置において、検査時に被検者の左右の眼前にそれぞれ配置され、前記偏光光学部材からの互いに直交する偏光軸にそれぞれ一致した偏光軸を持つ偏光フィルタを備えることを特徴とする。
（４）  （１）〜（３）のいずれかの視標呈示装置において、前記背景画像、左眼用視標及び右眼用視標は、ステレオグラム画像で構成されていることを特徴とする。
【発明の効果】
【００１０】
本発明によれば、裸眼時において検査視標における視標の視認がしづらくすることができる。
【発明を実施するための形態】
【００１１】
以下、本発明に係る実施形態を図面に基づいて説明する。図１〜図６は本実施形態に係る検眼装置の構成について説明する図である。
【００１２】
＜概要＞
本発明の実施形態に係る検眼装置の概要について説明する。例えば、本実施形態に関わる視標呈示装置１は、ディスプレイ５０、偏光光学部材５５、制御手段（制御部）２０、で構成される。ディスプレイ５０は、検査視標を表示する。偏光光学部材５５は、ディスプレイ５０の前面に配置される。
【００１３】
例えば、ディスプレイ５０としては、カラーの液晶ディスプレイ（ＬＣＤ）、プラズマディスプレイ、有機ＥＬディスプレイ、ＳＥＤディスプレイ等が挙げられる。
【００１４】
例えば、偏光光学部材５５は、ディスプレイ５０が持つ画素に対応してライン状又は格子状に交互に配置された左眼用光学領域５９と及び右眼用光学領域５７を持つ。そして、左眼用光学領域５９及び右眼用光学領域５７がディスプレイ５０からの光を透過させるときに、互いに直交する偏光軸の光に変換する。例えば、偏光光学部材５５として、位相差機能を持つ１／２波長板で構成されているものが挙げられる。
【００１５】
本発明は、視標呈示装置１に用いられる立体視機能検査用の検査視標に関する。例えば、本実施形態において、立体視機能検査用の検査視標は、画面上に形成された背景画像と、背景画像上に配置された左眼用視標６５及び右眼用視標６３とで構成される。
【００１６】
例えば、左眼用視標６５及び右眼用視標６３は、被検者が両眼視したときに後述するディスプレイ５０の画面５０ａに対して浮き上がり又は沈み込みを有する融像視標６７として被検者に見えるように左右方向の間隔が設定されている。
【００１７】
例えば、背景画像は、左眼用背景画像６１Ｌと右眼用背景画像６１Ｒで構成される。左眼用背景画像６１Ｌ及び右眼用背景画像６１Ｒは、被検者が両眼視したときに画面５０ａに対して所期する浮き上がり又は沈み込みを有する融像背景画像として被検者に見えるように左右方向の間隔が設定されている。
【００１８】
例えば、背景画像６１Ｌ，６１Ｒ、左眼用視標６５及び右眼用視標６３は、ステレオグラム画像で構成されている。例えば、ステレオグラム画像としては、ランダムドットパターン、多数の絵柄（複数の絵）によって構成される並び絵パターン等が挙げられる。
【００１９】
例えば、制御部２０は、左眼用光学領域５９に対応する画素領域に左眼用背景画像６１Ｌ及び左眼用視標６５を表示し、右眼用光学領域５７に対応する画素領域に右眼用背景画像６１Ｒ及び右眼用視標６３を表示する。
【００２０】
例えば、立体視機能検査は、被検者が偏光フィルタを通してディスプレイ５０に表示された検査視標を見ることによって行う。例えば、偏光フィルタは、検査時に被検者の左右の眼前にそれぞれ配置され、偏光光学部材５５からの互いに直交する偏光軸にそれぞれ一致した偏光軸を持つ。例えば、偏光フィルタを備えるものとしては、偏光フィルタが配置された偏光眼鏡３０、左右の検査窓に偏光フィルタを備えた自覚式屈折力検眼装置（ホロプター）２００等が挙げられる。
【００２１】
被検者が偏光フィルタを通してディスプレイ５０に表示された検査視標を見ることによって、左眼と右眼で異なる視標（右眼用視標６３及び左眼用視標６５）及び背景画像が呈示できるため、左右眼で視差が設定される。すなわち、被検者は左右の眼の視差によって、視標及び背景画像を立体視することが可能となる。
【００２２】
このように、視標（右眼用視標６３及び左眼用視標６５）だけでなく背景画像も右眼用背景画像６１Ｒと左眼用背景画像６１Ｌとで構成し、被検者が両眼視したときに画面に対して所期する浮き上がり又は沈み込みの視差を有する融像背景画像として被検者に見えるように、右眼用背景画像６１Ｒと左眼用背景画像６１Ｌの左右方向の間隔を設定することによって、裸眼時に右眼用視標６３及び左眼用視標６５を視認しづらくすることができる。これによって、立体視検査を正確に行うことができる。
【００２３】
＜実施例＞
以下、本発明の実施の形態を図面に基づいて説明する。図１は視標呈示装置の外観略図である。
【００２４】
視標呈示装置１の筐体２の正面（前面）には、視標を呈示するための視標呈示部（呈示部）３が配置されている（詳細は図２にて後述する）。呈示部３は、５ｍ等の遠方の検査距離に置かれた場合にも、所定サイズの視力検査視標、両眼視機能検査視標等の検査視標１０を表示できる。さらに、筐体２は壁掛けで使用できる薄型とされている。
【００２５】
筐体２の正面の下方には、リモコン４からの赤外光の通信信号を受信する受信部５が配置されている。呈示部３に表示される視標１０は、リモコン４の操作によって切り換えられる。また、１つ文字の視力検査視標を呈示する場合、呈示部３のほぼ中央に視標１０が表示される。両眼視機能検査には、それぞれ直交する偏光軸を持つ偏光フィルタ３０Ｌ及び偏光フィルタ３０Ｒが配置された偏光眼鏡３０が使用される。左眼用の偏光フィルタ３０Ｌは１３５度方向に偏光軸を持ち、右眼用の偏光フィルタ３０Ｒは４５度方向に偏光軸を持つ。また、屈折矯正検査のために、左右の検査窓に球面レンズ等の矯正レンズが切り換え配置される自覚式屈折力検眼装置（ホロプター）２００が使用される場合において、両眼視機能検査時には、左右の検査窓には偏光眼鏡３０と同じく直交する偏光軸を持つ偏光フィルタがそれぞれ切り換え配置される。
【００２６】
図２は、視標呈示装置１の制御ブロック図である。制御部２０には、呈示部３を構成する液晶ディスプレイ５０、受信部５が接続されている。また、制御部２０は、様々な視標パターンを記憶するメモリ２１、リモコン４からの指令信号を解読するデコーダ回路等が接続されている。制御部２０は、リモコン４からの視標切り換え信号等の入力により、ディスプレイ５０の表示を制御する。
【００２７】
リモコン４には、ディスプレイ５０に表示される視標を切り換えるための複数のスイッチと、それらスイッチによる操作の状況を表示する液晶ディスプレイ４１が配置されている。また、リモコン４は、視力検査視標の切換スイッチ群４２、視力検査視標以外の検査視標の切換スイッチ群４３、方向切換ボタン４４、視力値増減ボタン４５、送信部４９、を備える。切換スイッチ群４２の視力値に対応するボタンを押すと、ディスプレイ５０にその視力値の視標が表示される。このとき、ディスプレイ４１にも同じ視標が表示されると共に、その視力値も表示される。スイッチ群４３では、ランダムドットステレオグラム視標（ＲＤＳ視標）を含む両眼視機能検査の様々な視機能を検査するための視標を表示させるスイッチが用意されている。なお、ＲＤＳ視標は、画像がランダムドットパターンによって構成される立体検査視標を示している。方向切換ボタン４４は、視力検査視標であるランドルト環視標の切れ目方向を切換えることができる。視力値増減ボタン４５は、呈示部３に表示される視力検査視標の視力値を上下させることができる。送信部４９は、リモコン４の指令信号を赤外光にて送信する。
【００２８】
次に、呈示部３の構成について説明する。呈示部３は、カラーの液晶ディスプレイ（ＬＣＤ）５０と、ディスプレイ５０の少なくとも視標呈示領域に配置されたシート状の偏光光学部材５５により構成される。液晶ディスプレイ５０は偏光板を備え、液晶ディスプレイ５０からは所定の方向（垂直方向、水平方向又は斜め４５度方向等）に偏光軸を持つ直線偏光が出射される。本実施形態では、矢印５０Ｙで示される垂直方向の偏光軸（偏光面）を持つ光が出射される。偏光光学部材５５は、ディスプレイ５０が持つ画素の大きさに対応してライン状又は格子状に交互に配置された２種類の光学領域５７，５９を持ち、ディスプレイ５０からの光を通過させるときに互いに直交する偏光軸を持つ直線偏光に変換する。本実施例では偏光光学部材５５として、位相差機能を持つ１／２波長板で構成されている。
【００２９】
ここで、１／２波長板は、周知のように入射光の偏光面が１／２波長板の高速軸（或いは低速軸）に対して角度θで入射したときに、その振動方向を２×θ回転させる。すなわち、１／２波長板は、入射光の偏光方向に対して高速軸（或いは低速軸）である光学的主軸方向を傾斜させることにより、入射光の偏光軸方向（振動方向）を回転させる機能を持つものであり、入射光の光量をそのまま維持できる特性を持つ。
【００３０】
図２において、ライン状の光学領域５７の１／２波長板は右眼用光学領域であり、その光学的主軸方向は、偏光眼鏡３０が持つ右眼用の偏光フィルタ３０Ｒの偏光方向４５度と一致した偏光方向（矢印５７Ｙ）の光に変換するように配置されている。また、ライン状の光学領域５９の１／２波長板は左眼用光学領域であり、その光学的主軸方向は、偏光眼鏡３０が持つ左眼用の偏光フィルタ３０Ｌの偏光方向１３５度と一致した偏光方向（矢印５９Ｙ）の光に変換するように配置されている。なお、左右眼における偏光方向の構成は逆であっても良く、本実施形態に限定されるものではない。被検者が左右の眼前にそれぞれ配置された偏光フィルタ３０Ｌ及び３０Ｒを通して呈示部３の表示を見ると、左眼には偏光フィルタ３０Ｌを通過可能な光学領域５９からの出射光のみが視認され、光学領域５７からの出射光は偏光フィルタ３０Ｌによりカットされ、視認されない。逆に、右眼には偏光フィルタ３０Ｒを通過可能な光学領域５７からの出射光のみが視認され、光学領域５９からの出射光は偏光フィルタ３０Ｒによりカットされ、視認されない。これにより、被検者の左右でそれぞれ異なる視標を呈示できる。
【００３１】
なお、ディスプレイ５０から４５度方向の偏光軸を持つ光が出射されるときは、光学領域５７については、位相差機能（１／２波長板）を持たずに、４５度の偏光軸方向を維持したまま通過させる光学部材５５として構成すればよい。
【００３２】
また、図２において、光学領域５７に対応されるディスプレイ５０の領域を表示領域５５７とし、光学領域５９に対応されるディスプレイ５０の領域を表示領域５５９とする。領域５５７及び５５９は、それぞれディスプレイ５０が持つ１画素の横ラインに一致したものであるが、検査距離だけ離れた被検者眼に光学領域５７及び５９が区別されないほど微細であれば、ディスプレイ５０が持つ１画素の整数倍の領域をカバーするように構成しても良い。ディスプレイ５０の1画素の縦方向の長さｈ５０は、例えば、約０．２６ｍｍである。光学領域５７及び５９の縦方向の長さｈ５５も長さｈ５０に略一致している。光学領域５７及び５９とこれに対応するディスプレイ５０の領域５５７及び５５９は、横方向ラインとしたが、縦方向ラインであっても良い。さらに、２種類の領域５７、５９が格子状に配置される構成としても良い。
【００３３】
また、ディスプレイ５０として液晶ディスプレイを使用したが、プラズマディスプレイ、有機ＥＬディスプレイ、ＳＥＤディスプレイ等も使用可能である。液晶ディスプレイ以外のディスプレイから出射される光が直線偏光の特性を持たない場合、ディスプレイ５０と偏光光学部材５５との間に偏光板を配置することにより、偏光光学部材５５として位相差機能を持つ１／２波長板が使用できる。
【００３４】
なお、偏光光学部材５５として、特開平７−３２２３０４号公報と同じく、光学領域５７に４５度方向の偏光軸を持つ偏光板を配置し、光学領域５９に１３５度方向の偏光軸を持つ偏光板を配置して構成することもできる。液晶ディスプレイ以外のディスプレイを使用する場合は、特開平７−３２２３０４号公報と同じく、偏光光学部材５５として偏光板を使用しても良い。
【００３５】
＜ランダムドットパターン視標＞
次に、呈示部３（ディスプレイ５０）に表示される立体視検査に用いる検査視標について説明する。立体視検査に用いる検査視標として、所定の画像から成る背景画像上に、背景画像と略同一の画像で構成され、左眼と右眼で異なる視標が配置されるものがある。本実施例において、立体視検査に用いる検査視標のステレオグラム画像として、ＲＤＳ視標を例に挙げて説明をする。
【００３６】
図３は、呈示部３の画面５０ａに呈示されるＲＤＳ視標の構成について説明する模式図である。ＲＤＳ視標６０は、被検者の右眼に呈示される画像（以下、右眼用画像）６０Ｒと、被検者の左眼に呈示される画像（以下、左眼用画像）６０Ｌで構成される。右眼用画像６０Ｒは、右眼のみに視認されるランダムドットパターンから成る背景画像６１Ｒと、右眼のみに視認されるランダムドットパターンで構成された右眼用視標６３とにより構成される。左眼用画像６０Ｌは、左眼のみに視認されるランダムドットパターンから成る背景画像６１Ｌと、左眼のみに視認されるランダムドットパターンで構成された左眼用視標６５と、により構成される。すなわち、背景画像６１Ｒ上に右眼用視標６３が配置され、背景画像６１Ｌ上に左眼用視標６５が配置されている。制御部２０はディスプレイ５０を制御し、光学領域５９に対応した画素領域に左眼用画像６０Ｌを表示し、光学領域５７に対応した画素領域に右眼用画像６０Ｒを表示する。
【００３７】
なお、本実施例においては、右眼用視標６３と左眼用視標６５として、円形状の視標が用いられる場合を例に挙げて説明する。もちろん、視標の形状は、その他の形状のものを用いる構成としてもよい。例えば、四角形状や三角形状の視標を用いてもよい。この場合、例えば、立体検査では、図６のように、被検者が両眼視したときに画面に対して浮き上がる（又は沈み込み）を有する融像視標６７の形状を視認できるか否かによって、検査を行う。また、方向性を持つ視標（例えば、ランドルド環の視標）を用いる構成としてもよい。この場合、例えば、立体検査では、被検者がランドルド環の切り目が、どの方向にあるかを視認できるか否かによって、検査を行う。
【００３８】
右眼用画像６０Ｒは、背景画像６１Ｒ上に右眼用視標６３が合成されて配置された画像である。また、左眼用画像６０Ｌは、背景画像６１Ｌ上に左眼用視標６５が合成されて配置された画像である。右眼用視標６３及び左眼用視標６５は、ほぼ同一の形状、色、サイズの大きさを持つものであり、被検者が両眼視したときに画面５０ａに対して所期する浮き上がり（又は沈み込み）を有する融像視標６７として被検者に見えるように左右方向の間隔Ｗ１が設定されている。この例では、融像視標６７が画面５０ａに対して浮き上がって見えるように、右眼用視標６３は画面５０ａの左右中心の基準位置Ｃに対して左方向にずれて配置され、左眼用視標６５は基準位置Ｃに対して右方向にずれて配置されている。右眼用視標６３及び左眼用視標６５の間隔Ｗ１は、画面５０ａに対して被検者が離れて位置する検査距離に応じて、融像視標６７が所期する浮き上がり量（例えば、３分）となるように、設定されている。
【００３９】
このように、左眼と右眼で異なる右眼用視標６３及び左眼用視標６５を生成することによって、左右眼で視差が設定される。すなわち、被検者は左右の眼の視差によって、視標を立体視することが可能となる。
【００４０】
以下、視差について説明する。図４は、視差の概念について説明する図である。図４（ａ）は、ディスプレイ５０の画面５０ａに表示された右眼用視標及び左眼用視標を両眼視したときに、融像視標が沈みこみように視認される場合の構成を示している。図４（ｂ）は、融像視標が浮きあがるように視認される場合の構成を示している。画面５０ａには、右眼用視標ＧＲと左側用視標ＧＬが配置される。これらは、基準位置Ｃに対して左右方向にずれて所定の視差が設定されるように、配置されている。
【００４１】
例えば、図４（ａ）に示されるように、右眼用視標ＧＲが基準位置Ｃより右側に配置され、左側用視標ＧＬが基準位置Ｃより左側に配置されると、融像位置Ａ１にて融像視標が視認できるようになる。すなわち、被検者は、画面５０ａに対して、融像位置Ａ１が奥側となるため、視標が沈みこんだように視認できる。このとき、視差（視差量）は、融像視標を両眼で観察した際の成す角α１と画面５０ａの略中心（基準位置）Ｃを両眼で観察した際の成す角βとの差分で表わされる。すなわち、視差は、α１―βで表わされる。また、図４（ｂ）に示されるように、右眼用視標ＧＲが基準位置Ｃより左側に配置され、左側用視標ＧＬが基準位置Ｃより右側に配置されると、融像位置Ａ２にて融像視標が視認できるようになる。すなわち、被検者は、画面５０ａに対して、融像位置Ａ２が手前側となるため、視標が浮かびあがったように視認できる。このとき、視差は、視標を両眼で観察した際の成す角α２と画面５０ａの略中心Ｃを両眼で観察した際の成す角βとの差分で表わされる。すなわち、視差は、α２―βで表わされる。なお、視差が大きいほど、画面５０ａに対する融像視標の浮き上がり（浮き上がり量）や沈み込み（沈み込み量）が大きく視認できるようになる。
【００４２】
ここで、ＲＤＳ視標６０の背景画像６１Ｒ及び６１Ｌが左右方向にずれておらず、共に両眼で視認される同一の背景画像である、次のような問題がある。すなわち、右眼用視標６３及び左眼用視標６５は、背景画像６１Ｒ、６１Ｌに対して、左右方向にずれて形成されているため、偏光眼鏡３０を用いることなく裸眼の状態で、被検者がＲＤＳ視標６０を観察した場合に、視標（右眼用視標６３及び左眼用視標６５）と背景画像との境界が認識でき、立体検査を行う以前に、立体視したときの融像視標の形状や方向が視認されやすくなる。また、浮上量や沈入量を区別しやすくなる。
【００４３】
図５は、ディスプレイ５０に表示されるＲＤＳ視標を示す図である。図５（ａ）は、背景画像に視差を設定していない場合のＲＤＳ視標６０を示している。図５（ｂ）は、背景画像に視差を設定した場合のＲＤＳ視標６０を示している。
【００４４】
例えば、図５（ａ）において、背景画像に視差が設定されていないのに対して、視標（右眼用視標及び左眼用視標）に視差が設定されているため、視標部分が左右方向にずれて表示されている。このため、裸眼であっても、視標の形状（円形状）が視認できる。図５（ｂ）においては、背景画像に視差が設定されているとともに、視標にも視差が設定されているため、背景画像及び視標ともに左右方向にずれて表示されている。
【００４５】
以下、背景画像における視差の設定について説明する。背景画像の視差の設定は、視標時と同様にして生成される。図３Ｂにおいて、例えば、背景画像６１Ｒの左右方向位置が背景画像６０Ｌの左右方向位置に対して右側にずれるように、背景画像６１Ｒと背景画像６０Ｌが生成される。すなわち、右眼用画像６０Ｒは、背景画像６１Ｒが基準位置Ｃより右側にずれた画像となる。このとき、例えば、基準位置Ｃは、右眼用画像６０Ｒの背景画像６０Ｒと左眼用画像６０Ｌの背景画像６１Ｌが同一の画像（背景画像）６１である場合の水平方向における中心位置を示している。すなわち、背景画像に視差を設定しない場合の背景画像の水平方向における中心位置を示している。
【００４６】
また、左眼用画像６０Ｌは、背景画像６１Ｌが基準位置Ｃより左側にずれた画像となる。これによって、右眼と左眼で視差の設定された背景画像で構成されるＲＤＳ画像６０が生成されている。図３に示すようなＲＤＳ視標の場合、図６のように、被検者が背景画像６１Ｒ及び背景画像６１Ｌを両眼視したときに見える融像背景画像６２は、画面５０ａに対して沈み込んで見える。すなわち、背景画像６１Ｒ及び背景画像６１Ｌは、被検者が両眼視したときに画面５０ａに対して所期する浮き上がり又は沈み込みを有する融像背景画像として被検者に見えるように左右方向の間隔Ｗ２が設定されている。このように、左眼と右眼で異なる背景画像を生成することによって、左右眼で視差が設定される。
【００４７】
図３のＲＤＳ視標６０を立体視検査で用いた場合、融像背景画像６２がディスプレイ５０の画面５０ａに対して沈み込むように視認され、融像視標６７が画面５０ａに対して浮かびあがるように視認される。このため、被検者がＲＤＳ視標６０を確認した際に、融像背景画像６２に対して融像視標６７が大きく浮かびあがるため、融像視標６７がディスプレイ５０の画面に対して浮かびあがるよりも、融像視標６７がより浮きあがって視認される。
【００４８】
上記のように、ＲＤＳ視標６０において、背景画像と視標にそれぞれ視差を設定した場合、被検者がＲＤＳ視標６０を確認した際の視差は、背景画像６２の視差と融像視標６７の視差に基づいて設定されることになる。以下の説明においては、便宜上、ディスプレイ５０の画面に対して、融像背景画像６２又は融像視標６７が浮き上がる方向の視差をプラス（＋）で表わし、ディスプレイ５０の画面に対して、背景画像又は融像視標６７が沈み込む方向の視差をマイナス（−）で表わす。
【００４９】
例えば、融像背景画像６２の視差を−４分として設定し、融像背景画像６２がディスプレイ５０の画面位置に対して、４分沈み込んだように視認できるようにする。また、融像視標６７の視差を＋４分として設定し、融像視標６７がディスプレイ５０の画面位置に対して、４分浮きあがったように視認できるようにする。この場合、融像視標６７は、融像背景画像６２に対して、８分浮き上がったように視認できる。
【００５０】
また、融像背景画像６２の視差を＋４分として設定し、融像背景画像６２がディスプレイ５０の画面位置に対して、４分浮きあがったように視認できるようにする。また、融像視標６７の視差を−４分として設定し、融像視標６７がディスプレイ５０の画面位置に対して、４分沈み込んだように視認できるようにする。この場合、融像視標６７は、融像背景画像６２に対して、８分沈んだように視認できる。
【００５１】
また、融像背景画像６２の視差を＋２分として設定し、融像背景画像６２がディスプレイ５０の画面位置に対して、２分浮きあがったように視認できるようにする。また、融像視標６７の視差を＋４分として設定し、融像視標６７がディスプレイ５０の画面位置に対して、４分浮きあがったように視認できるようにする。この場合、融像視標６７は、融像背景画像６２に対して、２分浮き上がったように視認できる。
【００５２】
以上のように、視標（右眼用視標６３及び左眼用視標６５）だけでなく背景画像も右眼用背景画像６１Ｒと左眼用背景画像６１Ｌとで構成し、被検者が両眼視したときに画面に対して所期する所期する浮き上がり又は沈み込みの視差を有する融像背景画像として被検者に見えるように、右眼用背景画像６１Ｒと左眼用背景画像６１Ｌの左右方向の間隔を設定することによって、裸眼時に右眼用視標６３及び左眼用視標６５を視認しづらくすることができる。これによって、立体視検査を正確に行うことができる。また、背景画像の視差と視標の視差に基づいて、被検者がＲＤＳ視標６０を確認した際の視差が設定されるため、右眼用視標及び左眼用視標だけでは設定が困難である、より大きな視差での立体視検査を行うことができる。
【００５３】
なお、本実施例において、背景画像のランダムドットパターンと右眼用視標６３及び左眼用視標６５のランダムドットパターンは、背景画像と視標が裸眼で識別できないものであればよい。例えば、同一のドットパターンを使用してもよいし、異なるものを使用してもよい。
【００５４】
なお、本実施例においては、背景画像上に１つの融像視標が立体視可能な検査視標を例に挙げたがこれに限定されない。検査視標は、複数の融像視標が見えるように右眼用視標及び左眼用視標を配置する構成であってもよい。例えば、背景画像に円形状の融像視標と三角形状の融像視標が見えるようにしてもよい。この場合例えば、丸形状の融像視標は、浮かびあがるように視認されるように視差を設定し、三角形状の融像視標は沈み込むように視認されるように視差を設定してもよい。
【００５５】
なお、本実施例においては、本発明を適用した立体検査用の検査視標として、ＲＤＳ視標のステレオグラム画像を挙げたがこれに限定されない。本発明は、背景画像に対して視差を設定した視標で構成される視標に対して適用可能である。例えば、多数の絵柄（複数の絵）によって、構成される並び絵パターンのステレオグラム画像の背景画像及び視標が挙げられる。例えば、絵柄としては、円形、三角形、木、動物等が挙げられる。
【００５６】
なお、本実施例においては、本発明が偏光光学部材５５をディスプレイ５０の前面に配置するようなパッシブ方式の装置を例に挙げたがこれに限定されない。その他の構成による立体視検査にも適用可能である。例えば、アクティブシャッター方式等の装置にも適用可能である。また、偏光方式に変えて赤フィルタ及び緑フィルタを使う方式にも適用できる。赤及び緑フィルタを使う方式では、偏光光学部材５５は不要となり、ディスプレイ５０に画面に赤フィルタ及び緑フィルタに対応する赤色、緑色及び黒色の視標と背景画像を形成することで立体検査視標が形成される。
【００５７】
なお、本実施例においては、ディスプレイ式の視標呈示装置を例として説明したが、ディスクに描かれ検査視標を投影するタイプの視標呈示装置であっても良い。
【図面の簡単な説明】
【００５８】
【図１】視標呈示装置の外観略図である。
【図２】視標呈示装置の制御ブロック図である。
【図３】呈示部の画面に呈示されるＲＤＳ視標の構成について説明する模式図である。
【図４】視差の概念について説明する図である。
【図５】ディスプレイに表示されるＲＤＳ視標を示す図である。
【図６】被検者が両眼視したときに画面に対して浮き上がる（又は沈み込み）を有する融像視標について説明する図である。
【符号の説明】
【００５９】
２  筺体
３  視標呈示部
４  リモコン
５  受信部
２０  制御部
３０  偏光眼鏡
３０Ｌ  偏光フィルタ
３０Ｒ  偏光フィルタ
５０  液晶ディスプレイ
５５  偏光光学部材
６０  ＲＤＳ視標
２００  自覚式屈折力検眼装置
【図１】
2014064850.tif 000003
【図２】
2014064850.tif 000004
【図３】
2014064850.tif 000005
【図４】
2014064850.tif 000006
【図５】
2014064850.tif 000007
【図６】
2014064850.tif 000008